(57)【要約】【課題】Ｒ−３２冷媒を使用する機器に使用できる冷凍機油用エステルであって、潤滑性が良好であり、従来よりも高い低温安定性と耐熱性を有する冷凍機油用エステルを提供する。【解決手段】ペンタエリスリトールおよびトリペンタエリスリトールを含む混合アルコールと、２−メチルプロパン酸および３，５，５−トリメチルヘキサン酸を含む混合モノカルボン酸とのエステルからなる冷凍機油用エステルを提供する。冷凍機油用エステルは、特定条件（Ａ）、（Ｂ）および（Ｃ）を満足する。【選択図】        図１
2015140352.tif 000002
【特許請求の範囲】
【請求項１】
ペンタエリスリトールおよびトリペンタエリスリトールを含む混合アルコールと、２−メチルプロパン酸および３，５，５−トリメチルヘキサン酸を含む混合モノカルボン酸とのエステルからなる冷凍機油用エステルであって、下記（Ａ）、（Ｂ）および（Ｃ）を満足することを特徴とする、冷凍機油用エステル。
（Ａ）  前記混合モノカルボン酸に占める２−メチルプロパン酸の質量比が２０質量％〜５５質量％であり、３，５，５−トリメチルヘキサン酸の質量比が４５質量％〜８０質量％である。
（Ｂ）  前記混合アルコールに占めるトリペンタエリスリトールの質量比が５質量％以下である。
（Ｃ）  前記混合アルコールに占めるトリペンタエリスリトールの質量比が、ペンタエリスリトールと前記混合モノカルボン酸とのエステルに占めるペンタエリスリトールテトラ２−メチルペンタン酸エステルの質量比の０．０２倍以上である。
【発明の詳細な説明】
【技術分野】
【０００１】
本発明は、Ｒ−３２冷媒を用いた冷凍機器に使用する冷凍機油用潤滑油に関し、特にその冷凍機油用潤滑油に使用するカルボン酸エステルに関する。
【背景技術】
【０００２】
オゾン層破壊の問題から、それまで冷蔵庫やエアコンなどの空調機器に用いられてきた塩素を含むフロン冷媒（塩素含有フロン冷媒）から、塩素を含まないフロン冷媒（代替フロン冷媒）への転換が図られてきた。冷媒の変更に伴い、これまで塩素含有フロン冷媒用の冷凍機油として使用されてきた鉱物油やアルキルベンゼンなどの合成炭化水素油を用いた潤滑油では、代替フロン冷媒に対する相溶性が低いことから、冷凍機油としての性能を十分に発揮することが困難となった。
【０００３】
そのため、上記の課題を解決すべく、代替フロン冷媒と良好な相溶性を示す化合物の検討が行われた。その結果、ポリオールエステル化合物やポリアルキレングリコール化合物などが冷凍機油として見出され、従来の鉱物油や合成炭化水素油を用いた冷凍機油に代わって使用されるようになった。その中でもポリオールエステルは、ネオペンチルグリコール、トリメチロールプロパン、ペンタエリスリトール、およびジペンタエリスリトール等のネオペンチルポリオールと脂肪族カルボン酸とのエステルであり、代替フロン冷媒との相溶性に優れるだけでなく、冷凍機油としての使用に適した電気絶縁性や熱安定性を有している理由から広く使用されるようになった。
【０００４】
近年、代替フロン冷媒は、オゾン破壊係数が低い反面、地球温暖化係数が高いことからその使用量を削減する検討が進められている。家庭用冷蔵庫に使用する冷媒については、地球温暖化係数の高いＲ−１３４ａ冷媒から、地球温暖化係数の低いＲ−６００ａ冷媒のような炭化水素冷媒へとシフトしている。ルームエアコン用の冷媒として主に使用されているＲ−４１０Ａ冷媒も地球温暖化係数が高いことから、その代替となる冷媒について精力的に検討されている。
【０００５】
Ｒ−４１０Ａ冷媒の代替冷媒として種々の候補があるが、中でもＲ−３２冷媒が有力とされており、Ｒ−３２冷媒と相溶性のある冷凍機油用エステルの開発が進められている。特許文献１では、このようなエステルとして、炭素数４の脂肪族モノカルボン酸である酪酸やイソ酪酸と炭素数７〜９の脂肪酸を使用したエステルが提案されている。特許文献２では、ペンタエリスリトールとイソ酪酸および３，５，５−トリメチルヘキサン酸のエステルが開示されている。
【先行技術文献】
【特許文献】
【０００６】
【特許文献１】ＷＯ２０１２／０２６２１４号公報
【特許文献２】ＷＯ２０１２／０２６３０３号公報
【発明の概要】
【発明が解決しようとする課題】
【０００７】
Ｒ−３２冷媒は、その温度特性から、Ｒ−４１０Ａ冷媒よりも優れた冷却性能を示すことが知られている。しかしながら、その優れた性能を引き出すためには、Ｒ−４１０Ａ冷媒よりも高温・高圧でコンプレッサーを効率よく稼働させる必要がある。そのため、使用される冷凍機油用エステルは、従来よりも高い耐熱性を有することが要求される。
【０００８】
また、近年では、省エネルギー性向上の観点から、インバーター制御によって効率よく状況に応じて柔軟に機器を稼働させることが一般的となり、コンプレッサー、凝集器、膨張弁、蒸発器などの冷凍装置の各箇所における運転時の温度は、低温から高温まで従来よりも幅広い範囲を取ることとなる。冷凍機油用潤滑油は冷媒と共に冷凍装置内を循環することから、Ｒ−３２冷媒を使用する機器に使用する冷凍機油用潤滑油には、従来よりも高い低温安定性と耐熱性が求められる。
【０００９】
特に、低温安定性については、低温で温度が変動する中でも結晶を析出・固化することなく、長期間においても液状であり続ける性能が求められている。膨張弁や蒸発器など運転時に低温となる箇所において、冷凍機油用エステルの結晶の析出や、固化が起こった場合、その装置のエネルギー効率を低下させるだけでなく、機器の停止に至る可能性がある。
【００１０】
本発明の課題は、Ｒ−３２冷媒を使用する機器に使用できる冷凍機油用エステルであって、従来よりも高い低温安定性と耐熱性を有する冷凍機油用エステルを提供することである。
【課題を解決するための手段】
【００１１】
そこで、本願発明者は、上記のようなＲ−３２冷媒を使用する機器のための冷凍機油用潤滑油の課題を克服する冷凍機油用エステルとして、以下の特徴を有するエステルが有効であることを見出した。
【００１２】
すなわち、本発明は、ペンタエリスリトールおよびトリペンタエリスリトールを含む混合アルコールと、２−メチルプロパン酸および３，５，５−トリメチルヘキサン酸を含む混合モノカルボン酸とのエステルからなる冷凍機油用エステルであって、下記（Ａ）、（Ｂ）および（Ｃ）を満足することを特徴とする。
（Ａ）  前記混合モノカルボン酸に占める２−メチルプロパン酸の質量比が２０質量％〜５５質量％であり、３，５，５−トリメチルヘキサン酸の質量比が４５質量％〜８０質量％である。
（Ｂ）  前記混合アルコールに占めるトリペンタエリスリトールの質量比が５質量％以下である。
（Ｃ）  前記混合アルコールに占めるトリペンタエリスリトールの質量比が、ペンタエリスリトールと前記混合モノカルボン酸とのエステルに占めるペンタエリスリトールテトラ２−メチルペンタン酸エステルの質量比の０．０２倍以上である。
【発明の効果】
【００１３】
本発明によれば、Ｒ−３２冷媒を使用する機器に使用できる冷凍機油用エステルであって、従来よりも高い低温安定性と耐熱性を有する冷凍機油用エステルを提供できる。
【図面の簡単な説明】
【００１４】
【図１】エステルのガスクロマトグラフィーによる分析結果を示すチャートである。
【発明を実施するための形態】
【００１５】
本発明において用いる冷凍機油用エステルは、ペンタエリスリトールおよびトリペンタエリスリトールを含む混合アルコールと、２−メチルプロパン酸および３，５，５−トリメチルヘキサン酸を含む混合モノカルボン酸とのエステルである。
【００１６】
以下、条件（Ａ）、（Ｂ）および（Ｃ）について順次述べる。
（条件Ａ）
Ｒ−３２冷媒への溶解性と長期間での低温安定性の観点から、混合モノカルボン酸に占める２−メチルプロパン酸の質量比を２０質量％〜５５質量％とし、３，５，５−トリメチルヘキサン酸の質量比を４５質量％〜８０質量％とする。ただし、この質量比は、混合モノカルボン酸の全量を１００質量％としたときの数値である。また、混合モノカルボン酸を構成する各モノカルボン酸の質量比は、その仕込み量を基準とする。
【００１７】
２−メチルプロパン酸の質量比が２０質量％以上であれば、Ｒ−３２冷媒と相溶性の高いエステルを得ることができる。この観点からは、２−メチルプロパン酸の質量比を２５質量％以上とすることが更に好ましい。また、２−メチルプロパン酸の質量比が５５質量％以下であれば、長期間での低温安定性に優れるエステルを得ることが出来る。これが５５質量％を超える場合、ペンタエリスリトールテトラ２−メチルプロパン酸エステルの含有量が多くなり、長期間で低温条件にさらされた場合、結晶が析出したり、固化したりする可能性がある。この観点からは、２−メチルプロパン酸の質量比が５０質量％以下であることが更に好ましい。
【００１８】
（条件Ｂ）
混合アルコールに占めるトリペンタエリスリトールの質量比が５質量％以下であることが必要である。ただし、この質量比は、混合アルコールの全量を１００質量％としたときの数値である。また、混合アルコールを構成する各アルコールの質量比は、その仕込み量を基準とする。
【００１９】
混合アルコール酸全量に占めるトリペンタエリスリトールの質量％が５質量％以下であることにより、Ｒ−３２冷媒を使用する機器における高温での運転においても耐えうる熱安定性を有する冷凍機油用エステルを得ることが出来る。この観点からは、混合アルコールに占めるトリペンタエリスリトールの質量比を３質量％以下とすることが好ましく、２．５質量％以下とすることが更に好ましく、１質量％以下とすることが一層好ましい。
【００２０】
ここで、混合アルコールは、ペンタエリスリトールとトリペンタエリスリトールとからなっていてよい。あるいは、混合アルコールは、更に他のペンタエリスリトール縮合物を含有していてよく、典型的にはジペンタエリスリトールを含有していてよい。混合アルコールに占める他のペンタエリスリトール縮合物、特にジペンタエリスリトールの質量比は、特に限定はされないが、長期低温安定性と熱安定性に優れた冷凍機油用エステルを得るという観点からは、０．１質量％以上が好ましく、０．５質量％以上が更に好ましい。また、同様の観点からは、混合アルコールに占める他のペンタエリスリトール縮合物、特にジペンタエリスリトールの質量比は、２質量％以下が好ましく、１．５質量％以下が更に好ましい。
【００２１】
（条件Ｃ）
混合アルコールに占めるトリペンタエリスリトールの質量比が、ペンタエリスリトールと混合モノカルボン酸とのエステルに占めるペンタエリスリトールテトラ２−メチルペンタン酸エステルの質量比の０．０２倍以上となるようにする。
【００２２】
ペンタエリスリトールテトラ２−メチルペンタン酸エステルは、融点が４０℃程度と高いため、その量が多くなると、低温環境において、長期にわたって結晶が析出・固化しやすくなる。トリペンタエリスリトールを混合アルコール内に前記所定量添加することによって、低温時に冷凍機油用エステル全体の安定性が著しく劣化することを発見した。これによって、温度変化する低温環境において、長期にわたって結晶を析出・固化することのない長期低温安定性に優れる冷凍機油用エステルを得ることが出来る。この観点からは、混合アルコールに占めるトリペンタエリスリトールの質量比が、ペンタエリスリトールと混合モノカルボン酸とのエステルに占めるペンタエリスリトールテトラ２−メチルペンタン酸エステルの質量比の０．０３倍以上であることが更に好ましく、０．０５倍以上であることが一層好ましい。
【００２３】
また、Ｒ−３２冷媒を使用する機器における高温での熱安定性という観点からは、混合アルコールに占めるトリペンタエリスリトールの質量比が、ペンタエリスリトールと混合モノカルボン酸とのエステルに占めるペンタエリスリトールテトラ２−メチルペンタン酸エステルの質量比の０．５倍以下であることが好ましい。
【００２４】
混合アルコールに占めるトリペンタエリスリトールの質量比は、前述のように各仕込み量から算出する。ペンタエリスリトールと混合モノカルボン酸とのエステルに占めるペンタエリスリトールテトラ２−メチルペンタン酸エステルの質量比は、ＦＩＤ検出器を備えたガスクロマトグラフィーを用いた分析により得る。
【００２５】
すなわち、ガスクロマトグラフィーに島津社製「ＧＣ−２０１４」を用い、カラムにジーエルサイエンス社製「ＯＶ−１」を充填した長さ１．１ｍ、内径３．２mmのパックドカラムを用いて分析する。この分析結果の例を図１のチャートに示す。導入口温度３２０℃、検出器温度３３０℃の条件において、測定開始からカラム温度を１００℃から３２０℃まで１０℃／ｍｉｎの速度で昇温し、３２０℃で２０ｍｉｎ保持することで、図１のような分析結果を得ることが出来る。
【００２６】
各生成物のピークは、リテンションタイムの早い順から、以下のとおりに帰属される。
（１）ペンタエリスリトールテトラ２−メチルプロパン酸エステル
（２）ペンタエリスリトールトリ２−メチルプロパン酸、モノ３，５，５−トリメチルヘキサン酸エステル
（３）ペンタエリスリトールジ２−メチルプロパン酸、ジ３，５，５−トリメチルヘキサン酸エステル
（４）ペンタエリスリトールモノ２−メチルプロパン酸、トリ３，５，５−トリメチルヘキサン酸エステル
（５）ペンタエリスリトールテトラ３，５，５−トリメチルヘキサン酸エステル
【００２７】
ピーク（１）〜（５）の各面積から、ペンタエリスリトールテトラ２−メチルプロパン酸エステルの含有率を得ることが出来る。
（１）から（５）の各ピーク面積比は、基本的に２−メチルプロパン酸と３，５，５−トリメチルヘキサン酸の比率によって決まるが、触媒の使用の有無や触媒の種類、反応条件、反応に使用する機器の形態によって変化することがある。また、精製工程において200℃を超えるような高温条件において、高い真空度で処理するような操作を行った際、エステル成分の揮発により、各ピークの比率が変化する。
【００２８】
本発明においては、前記混合アルコールと前記混合カルボン酸のエステルを調製するが、上記の混合アルコールと混合カルボン酸の使用量は、得られる冷凍機油用エステルの水酸基価が１０．０ｍｇＫＯＨ／ｇ以下、酸価が０．１ｍｇＫＯＨ／ｇ以下となるように調整する。水酸基価は、好ましくは５．０ｍｇＫＯＨ／ｇ以下、さらに好ましくは２．０ｍｇＫＯＨ／ｇ、最も好ましくは１．０ｍｇＫＯＨ／ｇ以下である。また、酸価は、低いほど好ましく、好ましくは０．０５ｍｇＫＯＨ／ｇ、より好ましくは０．０２ｍｇＫＯＨ／ｇ以下である。
【００２９】
本発明の冷凍機油用エステルは、通常のエステル化反応およびエステル交換反応によって製造することができる。具体的には、上記の特定のアルコールとカルボン酸の当量比は、通常アルコールの水酸基１当量に対し、カルボン酸のカルボキシル基を過剰に加えれば良く、必要に応じて触媒を加えることができる。また、２−メチルプロパン酸の比率が高い時など、必要に応じて溶剤を使用しても良い。使用する溶剤は沸点が１００℃以上から１５０℃のものであり、ヘプタンなどの炭化水素系溶剤や、トルエン等の芳香族系溶剤が好ましい。これを窒素気流下、１２０から２６０℃で３から１５時間反応させ、水酸基価が例えば３．０ｍｇＫＯＨ／ｇ以下となった時点で過剰のカルボン酸を減圧下で除去する。その後、アルカリによる脱酸を行い、活性白土、酸性白土および合成系の吸着剤を用いた吸着処理やスチーミングなどの操作を単独または組み合わせて行うことによってエステルを得ることができる。
【００３０】
本発明の冷凍機油用潤滑油組成物では、上記の方法で合成した少なくとも２種の冷凍機油用エステルを混合して使用することもできる。
【００３１】
本発明の冷凍機油用潤滑油組成物は、上記のエステルに対し、公知の添加剤、例えば、フェノール系の酸化防止剤、ベンゾトリアゾ−ル、チアジアゾールまたはジチオカーバメートなどの金属不活性化剤、エポキシ化合物またはカルボジイミドなどの酸補足剤、リン系の極圧剤などの添加剤を目的に応じて適宜配合することができる。
【実施例】
【００３２】
本実施例で用いたエステルの仕込み組成を表１にまとめた。また、得られたエステルを下記のガスクロマトグラフィーによる分析を行い、ペンタエリスリトールエステル中のペンタエリスリトールテトラ２−メチルプロパン酸エステル（ＰＴＭＰ）の含有率を表１にまとめた。
【００３３】
各エステルの合成は以下の方法に従って実施した。
（合成例１）
温度計、窒素導入管、攪拌機およびジムロート冷却管と容量３０ｍLの油水分離管を取り付けた２Ｌの４つ口フラスコに、表１に示す比率に応じてアルコールを仕込み、仕込んだアルコールの水酸基に対し、カルボン酸が１．０５倍のモル比となるように、表１の比率の２−メチルプロパン酸と３，５，５−トリメチルヘキサン酸を反応器に仕込んだ。最後に、仕込んだアルコールの水酸基に対し、０．２ｍｏｌ当量のチタンイソプロポキシドを仕込んだ。
【００３４】
窒素気流下、仕込んだ反応液を加熱し、２２０℃の温度でエステルの水酸基が３以下となるまで反応した。その後、反応器内を２００℃まで冷却し、８０Ｔｏｒｒまで減圧して酸価が５ｍｇＫＯＨ／ｇ以下となるまで過剰の脂肪酸を留去した。
【００３５】
８５℃まで反応器を冷却した後、酸価から算出される水酸化カリウム量の１．５当量をイオン交換水で希釈して１０％の水溶液を作成し、それを反応液に加えて１時間撹拌した。撹拌を止めた後、３０分静置して下層に分離した水層を除去した。次に、反応液に対しての２０質量％のイオン交換水を加えて８５℃で１０分撹拌して、１５分静置した後、分離した水層を除去する操作を水層のｐＨが７から８になるまで繰り返した。その後、１００℃、３０Ｔｏｒｒで１時間撹拌することで脱水した。最後に、反応液に対して２質量％の活性白土を加え、８０℃、３０Ｔｏｒｒの条件で１時間撹拌し、ろ過して吸着剤を除去することで所望のエステルを得た。
【００３６】
（合成例２）
温度計、窒素導入管、攪拌機およびジムロート冷却管と容量３０ｍLの油水分離管を取り付けた２Ｌの４つ口フラスコに、表１に示す比率に応じてアルコールを仕込み、仕込んだアルコールの水酸基に対し、カルボン酸が１．０７倍のモル比となるように、表１の比率の２−メチルプロパン酸と３，５，５−トリメチルヘキサン酸を反応器に仕込んだ。その後、アルコールとカルボン酸の合計仕込み質量に対し、１０質量％のトルエンを仕込んだ。最後に、仕込んだアルコールの水酸基に対し、０．２ｍｏｌ当量のチタンイソプロポキシドを仕込んだ。
【００３７】
窒素気流下、仕込んだ反応液を加熱し、１５０℃で５時間反応し、その後、２２０℃の温度でエステルの水酸基が３以下となるまで反応した。反応器内を２００℃まで冷却し、５０Ｔｏｒｒまで減圧して酸価が５ｍｇＫＯＨ／ｇ以下となるまで過剰の脂肪酸と残存するトルエンを留去した。
【００３８】
８５℃まで反応器を冷却した後、酸価から算出される水酸化カリウム量の１．５当量をイオン交換水で希釈して１０％の水溶液を作成し、それを反応液に加えて１時間撹拌した。撹拌を止めた後、３０分静置して下層に分離した水層を除去した。次に、反応液に対しての２０質量％のイオン交換水を加えて８５℃で１０分撹拌して、１５分静置した後、分離した水層を除去する操作を水層のｐＨが７から８になるまで繰り返した。その後、１００℃、３０Ｔｏｒｒで１時間撹拌することで脱水した。最後に、反応液に対して２質量％の活性白土を加え、８０℃、３０Ｔｏｒｒの条件で１時間撹拌し、ろ過して吸着剤を除去することで所望のエステルを得た。
【００３９】
実施例１から４と比較例１から３は、合成例１に従って合成した。また、実施例５から６と比較例４から７は合成例２に従って合成した。
【００４０】
得られたエステルをガスクロマトグラフィーにて分析を行い、ペンタエリスリトールエステル中のペンタエリスリトールテトラ２−メチルプロパン酸エステル（ＰＴＭＰ）の含有率を以下の方法で測定した。表１に結果をまとめた。
【００４１】
ただし、ガスクロマトグラフィーに島津社製ＧＣ−２０１４を用い、カラムにジーエルサイエンス社製ＯＶ−１を充填した長さ１．１ｍ、内径３．２mmのパックドカラムを用いて分析した。導入口温度３２０℃、検出器温度３３０℃の条件において、測定開始からカラム温度を１００℃から３２０℃まで１０℃／ｍｉｎの速度で昇温し、３２０℃で２０ｍｉｎ保持する条件にて測定を行い、図１に示すようなガスクロチャートを得た。それぞれのピークを、リテンションタイムの早い順から、
（１）  ペンタエリスリトールテトラ２−メチルプロパン酸エステル
（２）  ペンタエリスリトールトリ２−メチルプロパン酸、モノ３，５，５−トリメチルヘキサン酸エステル
（３）ペンタエリスリトールジ２−メチルプロパン酸、ジ３，５，５−トリメチルヘキサン酸エステル
（４）ペンタエリスリトールモノ２−メチルプロパン酸、トリ３，５，５−トリメチルヘキサン酸エステル
（５）ペンタエリスリトールテトラ３，５，５−トリメチルヘキサン酸エステル
と帰属し、ペンタエリスリトールエステル中のペンタエリスリトールテトラ２−メチルプロパン酸エステル（ＰＴＭＰ）の含有率を算出した。
【００４２】
本発明で行った冷凍機油用エステルの各種測定は、以下の方法に従って実施した。
色相：    ＪＯＣＳ  ２．２．１．４−１９９６に準拠して測定した。
酸価：    ＪＩＳ  Ｋ−００７０に準拠して測定した。
全酸価：  ＪＩＳ  Ｃ−２１０１に準拠して測定した。
動粘度：  ＪＩＳ  Ｋ−２２８３に準拠して測定した。
水酸基価：ＪＩＳ  Ｋ−００７０に準拠して測定した。
流動点：  ＪＩＳ  Ｋ−２２６９に準拠して測定した。
【００４３】
２層分離温度：
ＪＩＳ  Ｋ-２２１１に準拠し、Ｒ−３２冷媒とエステルの質量比が８：２となる条件で、低温領域での２層分離温度を測定した。
長期低温サイクル試験：
１００ｍＬのスクリュー管にエステル８０ｇを秤量し、１２時間毎に−１０℃と−３０℃と変化するように設定した恒温槽に入れ、１０００時間後の各サンプルの外観を目視にて確認した。結晶が析出した場合や、固化した場合を「×」評価とし、結晶の析出が見られない場合を「○」評価とした。
【００４４】
耐熱性試験（シールドチューブ試験）：
肉厚パイレックス（登録商標）チューブ（全長３００ｍｍ、外経１０ｍｍ、内径６ｍｍ）に予め水分量を約１０００ｐｐｍに調整した試料を２ｇ、冷媒Ｒ−３２を３ｇ、及び長さ１０ｍｍの鉄、銅、およびアルミの金属片を各１枚ずつ封入し、封管した。これを２００℃にて１０日間加熱した後、開封して冷媒を抜き取り、ＪＩＳ  Ｃ−２１０１に準拠して酸価を測定した。
上記の分析結果を表２にまとめた。
【００４５】
【表１】
2015140352.tif 000003
【００４６】
【表２】
2015140352.tif 000004
【００４７】
実施例に示すように、本発明によれば、Ｒ−３２冷媒との相溶性に優れ、熱安定性と長期間での低温安定性に優れる冷凍機油用エステルを得ることが出来る。
【００４８】
比較例１では、２−メチルプロパン酸の質量比が低いので、二層分離温度が高い。
比較例２では、トリペンタエリスリトールの質量比が高いので、熱安定性が低い。
比較例３、４では、混合アルコールに占めるトリペンタエリスリトールの質量比が、ペンタエリスリトールに占めるペンタエリスリトールテトラ２−メチルペンタン酸エステルの質量比の０．０１倍であるので、低温サイクル試験の結果が良くない。
比較例５では、トリペンタエリスリトールの質量比が高いので、熱安定性が低い。
比較例６では、２−メチルプロパン酸の質量比が高いので、低温サイクル試験の結果が良くない。
比較例７では、２−メチルプロパン酸の質量比が高く、トリペンタエリスリトールの質量比が高いので、熱安定性が低く、低温サイクル試験の結果も良くない。
【００４９】
以上の結果から、本発明に示される冷凍機油用エステルはＲ−３２冷媒用冷凍機油として使用されるエステルとして、低温において長期間の安定性を有し、高い耐熱性を有することが確認された。
【図１】
2015140352.tif 000005